(57)【要約】【課題】  ピアノ等の鍵盤楽器を模倣した鍵盤玩具でありながら、鍵盤に割り当てられた音が出力可能とされるばかりか、音やメロディと連動して、あたかも人形等が演奏しているかのように動くようにされ、見ていても楽しい興趣の向上した鍵盤玩具を提供する。【解決手段】  筐体２に、鍵盤状に形成された複数の鍵盤部材Ｋ１等と音声出力可能な音声出力器とが設けられた鍵盤玩具１であって、前記筐体２に設けられた複数の人形１０等と、駆動源からの駆動を受けて回転可能な一本の軸体と、前記軸体に設けられる複数のカムと、複数の前記カムと接触して前記人形１０等内に進退可能に配置される複数種類の進退部材と、前記人形１０等の腕となるように、同人形１０等の胴体部分に揺動可能に支持されて、前記進退部材の進退に対応して揺動する複数の揺動部材１１等とを備えた。【選択図】  図１
0003110260.tif 000002
【実用新案登録請求の範囲】
【請求項１】
筐体に、鍵盤状に形成された複数の鍵盤部材と音声出力可能な音声出力器とが設けられた鍵盤玩具であって、
前記筐体に設けられた複数の人形と、
駆動源からの駆動を受けて回転可能な一本の軸体と、
前記軸体に設けられる複数のカムと、
複数の前記カムと接触して前記人形内に進退可能に配置される複数種類の進退部材と、
前記人形の腕となるように、同人形の胴体部分に揺動可能に支持されて、前記進退部材の進退に対応して揺動する複数の揺動部材とを備えたことを特徴とする鍵盤玩具。
【請求項２】
前記鍵盤部材のそれぞれに音声が設定され、
前記鍵盤部材が押圧された場合に、設定された音声が前記音声出力器から出力されると共に、前記駆動源がオンとされ且つ所定時間経過後に前記駆動源がオフとされることを特徴とする請求項１に記載の鍵盤玩具。
【請求項３】
複数の前記鍵盤部材のそれぞれに設定される音声を、音階として構成されることを特徴とする請求項２に記載の鍵盤玩具。
【請求項４】
それぞれにメロディが設定された複数のスイッチ部材を設け、
前記スイッチ部材が押圧された場合に、設定されたメロディが前記音声出力器から出力されると共に、前記駆動源をオンとされ且つ所定時間経過後に前記駆動源がオフとされることを特徴とする請求項１から請求項３のうち何れか一項に記載の鍵盤玩具。
【請求項５】
複数の前記スイッチ部材のそれぞれに設定されるメロディが、それぞれ異なることを特徴とする請求項４に記載の鍵盤玩具。
【請求項６】
点灯可能なランプ部材を設け、
前記駆動源がオンとされた場合、前記ランプ部材を点灯させることを特徴とする請求項１から請求項５のうち何れか一項に記載の鍵盤玩具。
【請求項７】
複数の前記人形が、それぞれ楽器を担うと共に、
前記腕部が、前記楽器を叩打しているように揺動されることを特徴とする請求項１から請求項６のうち何れか一項に記載の鍵盤玩具。
【請求項８】
複数の前記人形の担う楽器のうち一部の楽器が、小太鼓若しくは鉄琴の何れか１つ若しくは両方で構成され、前記揺動部材の揺動する方向が第１進退部材に合わせた方向であることを特徴とする請求項７に記載の鍵盤玩具。
【請求項９】
複数の前記人形の担う楽器のうち一部の楽器が、大太鼓若しくはシンバルの何れか１つ若しくは両方で構成され、前記揺動部材の揺動する方向が第２進退部材に合わせた方向であることを特徴とする請求項７または請求項８に記載の鍵盤玩具。
【考案の詳細な説明】
【技術分野】
【０００１】
本考案は鍵盤玩具に関する。
【背景技術】
【０００２】
従来から、ピアノ等の鍵盤楽器を模倣して、複数の鍵盤を備えた鍵盤玩具が提供されている。このような鍵盤玩具にあっては、その複数の鍵盤のそれぞれにスイッチを内蔵して、その鍵盤が押圧された場合に、そのスイッチがオンとされ、そして、そのスイッチに割り当てられた音がスピーカを通して出力されるように構成されている。従って、子供たちは、前記鍵盤を押圧して、スイッチをオンとさせ、任意の音を出力して楽しんでいた。
【考案の開示】
【考案が解決しようとする課題】
【０００３】
しかしながら、上述の鍵盤玩具にあっては、一般の鍵盤楽器のように、単に鍵盤を押して音を出力させて楽しむばかりで、玩具としての興趣に欠ける点がある。つまり、子供たちは、玩具に、音を出力させるばかりではなく、目でも楽しめる玩具を求める傾向にある。従って、一部の子供にあっては、この種の、単に鍵盤を押すだけの鍵盤玩具に、すぐに飽きてしまう問題があった。
【０００４】
本考案は、上記の事情に鑑みなされたものであって、ピアノ等の鍵盤楽器を模倣した鍵盤玩具でありながら、鍵盤に割り当てられた音が出力可能とされるばかりか、音やメロディと連動して、あたかも人形等が演奏しているかのように動くようにされ、見ていても楽しい興趣の向上した鍵盤玩具を提供することを目的としている。
【課題を解決するための手段】
【０００５】
上記目的を達成するために、本考案は、以下の手段の鍵盤玩具を提供する。
請求項１に係る考案は、筐体に、鍵盤状に形成された複数の鍵盤部材と音声出力可能な音声出力器とが設けられた鍵盤玩具であって、前記筐体に設けられた複数の人形と、駆動源からの駆動を受けて回転可能な一本の軸体と、前記軸体に設けられる複数のカムと、複数の前記カムと接触して前記人形内に進退可能に配置される複数種類の進退部材と、前記人形の腕となるように、同人形の胴体部分に揺動可能に支持されて、前記進退部材の進退に対応して揺動する複数の揺動部材とを備えたことを特徴とする。
【０００６】
この考案に係る鍵盤玩具にあっては、一本の軸体が駆動源からの駆動を受けて回転され、その軸体が回転されることによって設けられた複数種類のカムも回転される。加えて、その複数種類のカムが回転されることによって、そのカムに接触された複数種類の進退部材も、そのカムの接触を受けて独自にそれぞれ進退することとなる。そして、揺動部材は、複数種類の進退部材のそれぞれの進退に対応して揺動する。従って、複数の揺動部材が、それぞれ独自に揺動することとなる。
【０００７】
請求項２に係る考案は、請求項１に記載の鍵盤玩具において、前記鍵盤部材のそれぞれに音声が設定され、前記鍵盤部材が押圧された場合に、設定された音声が前記音声出力器から出力されると共に、前記駆動源がオンとされ且つ所定時間経過後に前記駆動源がオフとされることを特徴とする。
【０００８】
この考案に係る鍵盤玩具にあっては、鍵盤部材を押圧することによって、音声出力器から音声が出力されると共に、上述した揺動部材も揺動することとなる。加えて、その揺動部材の揺動は、所定時間後に駆動源がオフとされることによって、自動的に停止する。従って、揺動部材の揺動が音声の出力と共に楽しむことができる上、自動的に停止されるために、子供たちは、何度でも鍵盤楽器を弾いているかのように、この鍵盤玩具を楽しむことができる。
【０００９】
請求項３に係る考案は、請求項２に記載の鍵盤玩具において、複数の前記鍵盤部材のそれぞれに設定される音声を、音階として構成されることを特徴とする。
【００１０】
この考案に係る鍵盤玩具にあっては、複数からなる鍵盤部材のそれぞれに設定される音声が音階として構成されるため、本物のピアノのように奏でることができる。従って、子供たちは、音楽を演奏するように、この鍵盤玩具を奏でることができる。
【００１１】
請求項４に係る考案は、請求項１から請求項３の何れか一項に記載の鍵盤玩具において、それぞれにメロディが設定された複数のスイッチ部材を設け、前記スイッチ部材が押圧された場合に、設定されたメロディが前記音声出力器から出力されると共に、前記駆動源をオンとされ且つ所定時間経過後に前記駆動源がオフとされることを特徴とする。
【００１２】
この考案に係る鍵盤玩具にあっては、スイッチ部材を押圧することによって、音声出力器からメロディが出力されると共に、上述した揺動部材も揺動することとなる。加えて、その揺動部材の揺動は、所定時間後に駆動源がオフとされることによって、自動的に停止する。従って、揺動部材の揺動がメロディの出力と共に楽しむことができる上、自動的に停止されるために、子供たちは、何度でも鍵盤楽器を弾いているかのように、この鍵盤玩具を楽しむことができる。
【００１３】
請求項５に係る考案は、請求項４に記載の鍵盤玩具において、複数の前記スイッチ部材のそれぞれに設定されるメロディが、それぞれ異なることを特徴とする。
【００１４】
この考案に係る鍵盤玩具にあっては、複数からなるスイッチ部材のそれぞれに設定されるメロディが異なるように構成されるため、聴けるメロディの選択肢が増やされることとなる。従って、子供たちは、この鍵盤具で遊ぶ際の選択肢が増やされて、この鍵盤玩具をより楽しむことができる。
【００１５】
請求項６に係る考案は、請求項１から請求項５の何れか一項に記載の鍵盤玩具において、点灯可能なランプ部材を設け、前記駆動源がオンとされた場合、前記ランプ部材を点灯させることを特徴とする。
【００１６】
この考案に係る鍵盤玩具にあっては、上述した揺動部材が揺動されると共に、ランプ部材は点灯されることとなる。従って、揺動部材の揺動に装飾的効果が付されて玩具としての興趣を高める。
【００１７】
請求項７に係る考案は、請求項１から請求項６の何れか一項に記載の鍵盤玩具において、複数の前記人形が、それぞれ楽器を担うと共に、前記腕部が、前記楽器を叩打しているように揺動されることを特徴とする。
【００１８】
この考案に係る鍵盤玩具にあっては、人形の腕部が揺動することとなる。これによって、たとえば、人形に大太鼓を担わせ、腕部に大太鼓を叩打するバチを設けた場合、この人形の腕部が揺動することによって、楽器を叩打するように見えることとなる。また、その楽器を叩打している際には、上述したように音声出力器によって音声やメロディが出力される。つまり、その人形は、音声出力器から出力される音声やメロディに合わせて、あたかも楽器を演奏しているように見えるものとなる。従って、人形たちが、楽隊を形成して賑やかに演奏するように見えるものとなる。
【００１９】
請求項８に係る考案は、請求項７に記載の鍵盤玩具において、複数の前記人形の担う楽器のうち一部の楽器が、小太鼓若しくは鉄琴の何れか１つ若しくは両方で構成され、前記揺動部材の揺動する方向が第１進退部材に合わせた方向であることを特徴とする。
【００２０】
この考案に係る鍵盤玩具にあっては、揺動部材を構成する人形の腕部が、第１進退部材に合わせた方向に揺動することとなる。これによって、あたかも人形が、小太鼓若しくは鉄琴を叩打しているように、その第１進退部材に合わせた方向となる上下方向に人形の腕部は揺動する。また、それらの楽器を叩打している際には、上述したように音声出力器によって音声やメロディが出力される。つまり、その人形は、音声出力器から出力される音声やメロディに合わせて、あたかも楽器を演奏しているように見えるものとなる。従って、人形たちが、楽隊を形成して賑やかに演奏するように見えるものとなる。
【００２１】
請求項９に係る考案は、請求項７または請求項８に記載の鍵盤玩具において、複数の前記人形の担う楽器のうち一部の楽器が、大太鼓若しくはシンバルの何れか１つ若しくは両方で構成され、前記揺動部材の揺動する方向が第２進退部材に合わせた方向であることを特徴とする。
【００２２】
この考案に係る鍵盤玩具にあっては、揺動部材を構成する人形の腕部が、第２進退部材に合わせた方向に揺動することとなる。これによって、あたかも人形が、小太鼓若しくは鉄琴を叩打しているように、その第２進退部材に合わせた方向となる水平方向に人形の腕部は揺動する。また、それらの楽器を叩打している際には、上述したように音声出力器によって音声やメロディが出力される。つまり、その人形は、音声出力器から出力される音声やメロディに合わせて、あたかも楽器を演奏しているように見えるものとなる。従って、人形たちが、楽隊を形成して賑やかに演奏するように見えるものとなる。
【考案の効果】
【００２３】
この考案に係る鍵盤玩具によれば、ピアノ等の鍵盤楽器を模倣した鍵盤玩具でありながら、鍵盤に割り当てられた音が出力可能とされるばかりか、音やメロディと連動して、あたかも人形等が演奏しているかのように動くようにされ、見ていても楽しい興趣の向上した鍵盤玩具となる。
【考案を実施するための最良の形態】
【００２４】
以下に、本考案に係る鍵盤玩具の実施の形態について、図示しながら説明する。なお、図１は本考案に係る鍵盤玩具の正面図、図２は図１の鍵盤玩具の内部構造を示す斜視図、図３は第１進退部材が内蔵された人形の斜視図、図４は図３の人形の内部部材の作動図、図５は第２進退部材が内蔵された人形の正面図、図６は図５の人形の内部部材の作動図である。
【００２５】
図１に示す鍵盤玩具１は、筐体２に、１０個の鍵盤部材Ｋ１，Ｋ２，Ｋ３，Ｋ４，Ｋ５，Ｋ６，Ｋ７，Ｋ８，Ｋ９，Ｋ１０で構成された鍵盤部Ｋと、４個のスイッチ部材Ｂとを備えると共に、楽器を担った人形２０，３０，４０，５０が４体設けられている。前記鍵盤部Ｋは、通常のピアノ等の鍵盤楽器と模倣されて形成されるものであって、この筐体２の前面部（図１では下側）に設けられ、その１つ１つを構成する前記鍵盤部材Ｋ１，Ｋ２，Ｋ３，Ｋ４，Ｋ５，Ｋ６，Ｋ７，Ｋ８，Ｋ９，Ｋ１０は、『ド』、『レ』、『ミ』、『ファ』、『ソ』、『ラ』、『シ』、『ド』、『レ』、『ミ』と、それぞれに音階が割り当てられ、後に説明する音声記憶装置に記憶されて構成されている。また、前記鍵盤部材Ｋ１，Ｋ２等にあっては、前記筐体２に、上下に揺動可能に設けられると共に、下方に押圧された場合にスイッチがオンとされる接点スイッチが内蔵されている。前記鍵盤部材Ｋ１等に内蔵される接点スイッチがオンとされた場合には、その割り当てられた音階が、内蔵されるスピーカ（音声出力器）１００（図２参照）によって出力されると共に、内蔵されるモータ（駆動源）７０が駆動するように設定されている。
【００２６】
また、前記スイッチ部材Ｂ（Ｂ１，Ｂ２，Ｂ３，Ｂ４）は、前記鍵盤部Ｋの上面に位置する上面部３に、４つ設けられたものとなっている。前記スイッチ部材Ｂのそれぞれには、前記鍵盤部Ｋと同様に、それぞれにメロディが割り当てられ、後に説明する音声記憶装置に記憶されて構成されている。また、前記スイッチ部材Ｂにあっては、前記筐体２に、上下に揺動可能に設けられると共に、下方に押圧された場合にスイッチがオンとされる接点スイッチが内蔵されている。前記スイッチ部材Ｂに内蔵される接点スイッチがオンとされた場合には、その割り当てられたメロディが、内蔵されるスピーカ（音声出力器）１００（図２参照）によって出力されると共に、内蔵される駆動源７０が駆動するように設定されている。さらに、前記筐体２の上面部３には、公知のＬＥＤが内蔵されて点灯可能なランプ部材１０１，１０２，１０３が３つ設けられ、前記駆動源７０の駆動と共に点灯するように構成されている。
【００２７】
次に、この鍵盤玩具１の筐体２の内部４に配される各種部材について説明する。
すなわち、筐体２の内部４には、図示されない基盤が設けられる。この基盤は、音声が出力可能とされる音声出力器（スピーカ１００等）と、前記駆動源７０と、鍵盤部材K１等と、スイッチ部材B１等と、ランプ部材１０１等に接続されている。また、前記基盤上にあっては、ＣＰＵ（Ｃｅｎｔｒａｌ  Ｐｒｏｃｅｓｓｉｎｇ  Ｕｎｉｔ）と、音声に関する情報を記憶する音声記憶装置等を含むＲＯＭと、音声を再生する音声再生回路とが、バスを介して接続されている。なお、これらの部材には、図示されない電池ボックスが接続されて、適宜な電力が供給される。
【００２８】
上述したように、前記鍵盤部材Ｋ１，Ｋ２，Ｋ３，Ｋ４，Ｋ５，Ｋ６，Ｋ７，Ｋ８，Ｋ９，Ｋ１０及びスイッチ部材Ｂ（Ｂ１，Ｂ２，Ｂ３，Ｂ４）は、押圧されることによって、内蔵される接点スイッチがオンとされる。そうすると、前記音声記憶装置から、その接点スイッチに合わせて個別に記憶された音声に関する情報が引き出される。そして、音声再生回路によって、その情報に則して音声再生され、その再生された内容が、スピーカ１００から出力されるようになっている。
【００２９】
前記音声記憶装置にあっては、上述したように、前記鍵盤部材Ｋ１等及びスイッチ部材Ｂのそれぞれに対応した個別の音声に関する情報が記憶されている。すなわち、前記鍵盤部材Ｋ１等にあっては、その１０のそれぞれの鍵盤部材Ｋ１等に対応した、『ド』、『レ』、『ミ』、『ファ』、『ソ』、『ラ』、『シ』、『ド』、『レ』、『ミ』とハ長調音階となる異なる音階の音が記憶されている。たとえば、『ミ』と付される鍵盤部材Ｋ３が押圧された場合には、その鍵盤部材Ｋ３に対応した『ミ』の音声が、前記音声出力器１００から出力されるように構成されている。また、前記スイッチ部材Ｂにあっては、その４つのそれぞれのスイッチ部材Ｂに対応した、異なるメロディが記憶されている。たとえば、４種類の前記スイッチ部材Ｂのうち、『象』の絵が付されたスイッチ部材Ｂ２が押圧された場合には、そのスイッチ部材Ｂ２に対応した『童謡のぞうさん』のメロディが、前記音声出力器１００から出力されるように構成されている。なお、後に詳述するが、前記鍵盤部材Ｋ１等、及び、前記スイッチ部材Ｂ１等が押圧された場合には、前記駆動源７０も駆動するように構成されている。
【００３０】
また、前記筐体２の内部４には、図２に示すように、断面が六角形に形成され、前記駆動源７０からの駆動を受けて回転可能な一本の長軸状の軸体６１が、４つの軸支部材５１，５２，５３，５４に軸支されて設けられる。前記軸体６１には、前記駆動源７０に設けられる駆動ギア７１に歯合可能な軸体ギア７２が設けられると共に、４つのカム６２，６３，６４，６５が等間隔に設けられている。
【００３１】
前記カム６２，６３，６４，６５のそれぞれは、略円柱体形状で形成される。そして、前記カム６２，６３，６４，６５のそれぞれには、その円柱体形状の高さ方向で偏心された位置に孔６２ａ，６３ａ，６４ａ，６５ａが設けられ、該孔６２ａ，６３ａ，６４ａ，６５ａに前記軸体６１が挿通されている。なお、前記カム６２，６３，６４，６５の挿通される箇所は、それぞれ異なる偏心位置とされている（図示する例は２つが対となっている。）。そして、前記カム６２，６３，６４，６５のそれぞれには、図示するように、後に説明する人形１０，２０，３０，４０の下部から下方に突出した進退部材８１，８２，８３，８４の下部先端の半円球部８１ａ，８２ａ，８３ａ，８４ａの先端が接触するものとなっている。
【００３２】
次に、前記筐体２の上面部３に取り付けられた人形１０，２０，３０，４０について説明する。この４体の人形１０，２０，３０，４０の外見形状は、人形１０にあっては大太鼓を、人形２０にあっては鉄琴を、人形３０にあっては小太鼓を、人形４０にあってはシンバルを担うように形成されている。そして、前記人形１０，２０，３０，４０のそれぞれには、揺動可能な腕部（揺動部材）１１（１２），２１（２２），３１（３２），４１（４２）が設けられている。また、前記人形１０，２０，３０，４０の内部構造にあっては、２種類の構造で構成されている。すなわち、前記人形１０と人形４０と内部構造が同一に、そして、前記人形２０と人形３０との内部構造が同一に構成されている。以下に、人形２０及び人形４０を例にあげて、その内部２０ｂ，４０ｂを図３〜図６に示しながら説明する。
【００３３】
まず、鉄琴を担う前記人形２０について説明する。人形２０にあっては、図３に示すように、人形の形状をした筐体２０ａの内部２０ｂに、背丈方向に伸びる長軸状に形成された第１進退部材８１が内蔵される。前記第１進退部材８１の下部は、前記筐体２０ａ下部に設けられた孔２０ｃから下方に突出して略円柱形状の下部円柱部８１ｂが形成されている。そして、その第１進退部材８１の下部先端には、円球を下側半分とされた形状の半円球部８１ａが形成されている。この半円球部８１ａの先端は、上述したように、前記カム６２に当接する。
【００３４】
前記下部円柱部８１ｂの上には、平板状に形成された板状部８１ｃを介して、この人形２０の腕部（揺動部材）２１，２２の端部に形成される係合突出部２１ａ，２２ａと係合可能な第１係合部９１と、その第１係合部９１の上に円柱形状の柱部８１ｄとが、前記下部円柱部８１ｂと一体に形成されている。前記第１係合部９１は、筐体２０ａの左右両側方向に、前記係合突出部２１ａ，２２ａを係合可能とされる凹部９１ａ，９１ｂが設けられる。前記凹部９１ａ，９１ｂは、前記係合突出部２１ａ，２２ａが前後に移動できるように、筐体２０ａの前後方向に伸びて形成されると共に、人形２０の高さ方向に互いにずらされて形成される。
【００３５】
前記柱部８１ｄは、この第１進退部材８１の上部先端を形成するものであって、前記筐体２０ａの内部２０ｂに形成される挿通凹部２０ｄに挿通される。そして、前記柱部８１ｄの周囲にはスプリングコイル９１ｃが配されると共に、その上方には空間が形成されている。このように第１進退部材８１が形成されることによって、該第１進退部材８１は下方に付勢されながら上下に進退可能とされている。
【００３６】
次に、前記人形２０の腕となるように、同人形２０の胴体部分２０Ａに揺動可能に軸支され、且つ、前記第１進退部材８１に係合された両腕部２１，２２について説明する。前記両腕部２１，２２にあっては、その腕の根元が、前記筐体２０ａの胴体部分２０Ａの左右両側に設けられた孔２０ｅに回動可能に挿通され、該筐体２０ａ内部２０ｂに配される部材と係合されている。すなわち、前記腕部２１，２２の根元は、前記孔２０ｅ内で水平方向に伸びて回動可能な円柱形状の回動部２１ｂ，２２ｂが形成され、該回動部２１，２２の内側には、前記孔２０ｅの径より大きな径の円板形状で止め部２１ｃ，２２ｃが形成されている。そして、前記止め部２１ｃ，２２ｃの内側には、前記第１係合部９１の凹部９１ａ，９１ｂと係合可能な前記係合突出部２１ａ，２２ａが形成されている。前記係合突出部２１ａ，２２ａは、図示するように、双方ともに、前記挿通部２１ｂ，２２ｂの断面円の偏心位置から、水平方向に突出して形成されている。なお、前記腕部２１，２２の外側には、バチを手にしているかの如く、バチと人形の手とが一体となって形成されている。
【００３７】
上述したように構成された人形２０の両腕部２１，２２のうち、腕部２１を取り上げて、その揺動について図４を参照しながら説明する。すなわち、前記両腕部２１，２２は、前記第１進退部材８１の上下進退に対応して、前記孔２０ｅ内を回動可能に構成されるものである。つまり、図４（ａ）、図４（ｂ）、図４（ｃ）の順に、前記第１進退部材８１が下方から上方に進む際に、前記凹部９１ａに係合された前記腕部２１の係合突出部２１ａも下方から上方に進むこととなる。そうすると、前記腕部２１の一部となる前記回動部２１ｂが前記孔２０ｅ内で軸支されているので、その上方への進みに伴って、腕部２１の外側に形成されたバチが下方に進むこととなる。従って、その人形２０の手に持たれたようなバチは、人形２０に備えられた鉄琴を叩打するが如く、振り下ろされることとなる。なお、人形１０にあっても、その内部は、この人形４０と同様に構成されている。
【００３８】
次に、シンバルを担う前記人形４０について説明する。人形４０にあっては、図５に示すように、人形の形状をした筐体４０ａの内部４０ｂに、背丈方向に伸びる長軸状に形成された第２進退部材８４が内蔵される。前記第２進退部材８４の下部は、前記筐体４０ａ下部に設けられた孔４０ｃから下方に突出して略円柱形状の下部円柱部８４ｂが形成されている。そして、その第２進退部材８４の下部先端には、円球を下側半分とされた形状の半円球部８４ａが形成されている。この半円球部８４ａの先端は、上述したように、前記カム６４に当接する。
【００３９】
前記下部円柱部８４ｂの上には、円柱状に形成された円柱部８４ｃを介して、この人形４０の腕部（揺動部材）４１，４２の端部に形成される係合突出部４１ａ，４２ａと係合可能な第２係合部９４と、その第２係合部９４の上に円柱形状の柱部８４ｄとが、前記下部円柱部８１ｂと一体に形成されている。前記第２係合部９４は、筐体４０ａの左右両側方向に、前記係合突出部４１ａ，４２ａを係合可能とされる凹部９４ａ，９４ｂが設けられる。前記凹部９４ａ，９４ｂは、図５のＣ−Ｃ断面とされる図６（ｃ）に示すように、凹部の互いが貫通されるように形成されており、前記係合突出部４１ａ，４２ａが左上から右下に移動できるように、筐体４０ａの左上右下方向に伸びて形成される。
【００４０】
前記柱部８４ｄは、この第２進退部材８４の上部先端を形成するものであって、前記筐体４０ａの内部４０ｂに形成される挿通凹部４０ｄに挿通される。そして、前記柱部８４ｄの周囲にはスプリングコイル９４ｃが配されると共に、その上方には空間が形成されている。このように第２進退部材８４が形成されることによって、該第２進退部材８４は下方に付勢されながら上下に進退可能とされている。
【００４１】
次に、前記人形４０の腕となるように、同人形４０の胴体部分４０Ａに揺動可能に軸支され、且つ、前記第２進退部材８４に係合された両腕部４１，４２について説明する。前記両腕部４１，４２にあっては、その腕の根元が、前記筐体４０ａの胴体部分４０Ａの左右両側に設けられた孔４０ｅに回動可能に挿通され、該筐体４０ａ内部４０ｂに配される部材と係合されている。すなわち、前記腕部４１，４２の根元は、前記孔４０ｅ内で前記筐体４０ａの前後方向に移動可能な水平方向に伸びた摺動部４１ｂ，４２ｂが形成される。また、前記摺動部４１ｂ，４２ｂの内側には、前記筐体４０ａの内部４０ｂに設けられる軸孔４０ｆに挿通し軸支される、前記摺動部４１ｂ，４２ｂから上下鉛直方向に伸びた円柱形状の回動軸部４１ｃ，４２ｃが形成される。そして、前記回動軸部４１ｃ，４２ｃの内側には、前記第２係合部９４の凹部９４ａ，９４ｂと係合可能な前記係合突出部４１ａ，４２ａが形成されている。前記係合突出部４１ａ，４２ａは、図示するように、双方ともに、水平方向に突出して形成されている。なお、前記腕部４１，４２の外側には、シンバルを手にしているかの如く、シンバルと人形の手とが一体となって形成されている。
【００４２】
上述したように構成された人形４０の両腕部４１，４２の揺動について図６を参照しながら説明する。すなわち、前記両腕部４１，４２は、前記第２進退部材８４の上下進退に対応して、前記孔４０ｅ内を前記筐体４０ａの前後方向に進退可能に構成されるものである。つまり、図６（ａ）、図６（ｂ）の順に、前記第２進退部材８４が下方から上方に進む際に、前記凹部９４ａ，９４ｂに係合された前記腕部４１，４２の係合突出部４１ａ，４２ａは、前方から後方に進むこととなる。そうすると、前記腕部４１，４２の一部となる回動軸部４１ｃ，４２ｃが、前記筐体４０ａの内部４０ｂに設けられる軸孔４０ｆ内で軸支されて回動する。従って、その人形４０の両手に持たれたようなシンバルを互いにぶつけ合わせて鳴らすが如く、シンバルが接近してぶつかることとなる。なお、人形１０にあっても、その内部は、この人形４０と同様に構成されている。
【００４３】
以上のように、鍵盤玩具１を構成することによって、鍵盤部材Ｋ１，Ｋ２，Ｋ３，Ｋ４，Ｋ５，Ｋ６，Ｋ７，Ｋ８，Ｋ９，Ｋ１０、若しくは、スイッチ部材Ｂ（Ｂ１，Ｂ２，Ｂ３，Ｂ４）が押圧された場合には、その割り当てられた音階、若しくは、メロディが、スピーカ（音声出力器）１００から出力される。加えて、前記駆動源７０の駆動によって前記軸体６１は回転され、その回転によって、その軸体６１に取り付けられたカム６２，６３，６４，６５も回転される。そうすると、そのカム６２，６３，６４，６５に先端が当接する第１進退部材８２，８３及び第２進退部材８１，８４は、そのカム６２，６３，６４，６５によって上下進退することとなる。そして、その結果、上述したように、腕として設けられた腕部１１（１２），２１（２２），３１（３２），４１（４２）は、第１，第２進退部材８１等と腕部２１等との係合によって、その上下進退に対応して、それぞれに担った楽器を演奏するが如く揺動することとなる。そして、所定時間経過後に、前記音階やメロディの出力が停止されると共に、前記駆動源７０の駆動も停止される。また、前記ランプ部材１０１，１０２，１０３は、前記音階やメロディの出力中に点灯する。
【００４４】
以上、説明したように、前記鍵盤玩具１にあっては、設けられた複数の人形２０，３０，４０，５０の腕部（揺動部材）２１，２２が揺動することによって、それぞれに担った楽器を叩打しているように見え、あたかも楽隊が、出力される音楽を演奏しているかのような鍵盤玩具となる。従って、前記鍵盤玩具１によれば、鍵盤部材Ｋ１等を押圧して音階やメロディが好ましく出力されて楽しめると共に、楽隊がその音楽を演奏しているかのように見えて、興趣の向上した鍵盤玩具となる。
【００４５】
なお、本考案は上記実施の形態に限定されるものではなく、本考案の趣旨を逸脱しない範囲において適宜の選択が可能である。
例えば、人形が担う楽器は、上述した大太鼓、鉄琴、小太鼓、シンバルに限定されず、各種の楽器を選択して担わせることが可能である。また、設けられる人形の人数や、鍵盤の数、スイッチ部材の数にあっても、これに限定されることなく、適宜の数を選択することが可能である。
【図面の簡単な説明】
【００４６】
【図１】本考案に係る鍵盤玩具の正面図である。
【図２】図１の鍵盤玩具の内部構造を示す斜視図である。
【図３】第１進退部材が内蔵された人形の斜視図である。
【図４】図３の人形の内部部材の作動図である。
【図５】第２進退部材が内蔵された人形の正面図である。
【図６】図５の人形の内部部材の作動図である。
【符号の説明】
【００４７】
１    鍵盤玩具
２    筐体
１０，２０，３０，４０    人形
１１，１２，２１，２２，３１，３２，４１，４２    揺動部材（腕部）
K１，K２，K３，K４，K５，K６，K７，K８，K９，K１０    鍵盤部材
【図１】
0003110260.tif 000003
【図２】
0003110260.tif 000004
【図３】
0003110260.tif 000005
【図４】
0003110260.tif 000006
【図５】
0003110260.tif 000007
【図６】
0003110260.tif 000008